(57)【要約】  【課題】  記憶媒体に記憶されている映像データ、及び記憶媒体への記憶が予約された映像データを、複数の識別信号のいずれかに基づいて管理する映像処理装置を提供する。  【解決手段】  利用者による操作部１５の操作またはリモコン装置３０の操作によって、映像データのＨＤＤ２３への記録の予約を受け付けた場合、制御部１１は、予約された記録処理を示す予約情報と、予約を指示した利用者に割り当てられたカラーキー（青ボタン３１、赤ボタン３２、緑ボタン３３又は黄ボタン３４）に対応したコード信号とを予約管理データベース１９ａに登録する。また、予約管理データベース１９ａに登録された予約情報に基づく映像データをＨＤＤ２３に記録した場合、記録された映像データを示す記録情報と、この記録処理を指示した利用者に割り当てられたカラーキーに対応したコード信号とを記録管理データベース２３ａに登録する。【選択図】        図１
2006025245.tif 000002
【特許請求の範囲】
【請求項１】
映像データを取得する取得手段と、該取得手段が取得した映像データを記憶媒体に記憶する処理を行なう記憶処理手段を備える映像処理装置において、
複数の識別信号を各別に受け付ける受付手段と、
前記記憶媒体への映像データの記憶の予約を受け付ける予約受付手段と、
該予約受付手段が受け付けた予約に係る情報及び前記受付手段が受け付けた識別信号を対応させて記憶する予約記憶手段とを備え、
前記取得手段は、前記予約記憶手段に記憶させてある予約に係る情報に基づいて映像データを取得するようにしてあり、
前記記憶処理手段は、前記取得手段が取得した映像データに、前記予約に係る情報に対応する識別信号を付加して前記記憶媒体に記憶させるようにしてあること
を備えることを特徴とする映像処理装置。
【請求項２】
前記記憶媒体に記憶されている映像データに係る情報、及び該映像データに付加された識別信号を示す情報を表記するメニュー画像を作成する作成手段と、
該作成手段が作成したメニュー画像を表示出力する手段と
を備えることを特徴とする請求項１に記載の映像処理装置。
【請求項３】
前記予約記憶手段に記憶させてある予約に係る情報、及び該予約に係る情報に対応する識別信号を示す情報を表記する予約メニュー画像を作成する予約画像作成手段と、
該予約画像作成手段が作成した予約メニュー画像を表示出力する手段と
を備えることを特徴とする請求項１又は２に記載の映像処理装置。
【請求項４】
前記複数の識別信号のそれぞれに対応する複数の操作ボタンを備え、
前記受付手段は、前記操作ボタンのいずれかが操作された場合に、操作された操作ボタンから対応する識別信号を受け付けるようにしてあることを特徴とする請求項１乃至３のいずれかひとつに記載の映像処理装置。
【請求項５】
前記記憶媒体に記憶されている映像データを再生する再生手段と、
前記記憶処理手段による記憶処理及び前記再生手段による再生処理に係る複数の設定条件を、前記受付手段が受け付けた識別信号に対応して設定する設定手段と、
該設定手段が設定した設定条件の各設定内容を、前記識別信号に対応して記憶する条件記憶手段とを備え、
前記設定手段は、前記受付手段が識別信号を受け付けた場合に、受け付けた識別信号に対応する設定内容に各設定条件を設定するようにしてあることを特徴とする請求項１乃至４のいずれかひとつに記載の映像処理装置。
【請求項６】
前記再生手段による映像データの再生処理を中断した場合に、中断された再生処理に係る中断情報及び前記受付手段が受け付けた識別信号を対応させて記憶する中断情報記憶手段と、
前記受付手段が識別信号を受け付けた場合に、受け付けた識別信号に対応する中断情報に基づいて、中断された再生処理を再開させる手段と
を備えることを特徴とする請求項５に記載の映像処理装置。
【請求項７】
それぞれ設定された複数の設定条件に基づいて、映像データに係る処理を行なう映像処理装置において、
複数の識別信号を各別に受け付ける受付手段と、
該受付手段が受け付けた識別信号に対応して前記設定条件を設定する設定手段と、
該設定手段が設定した設定条件の各設定内容を、前記識別信号に対応して記憶する条件記憶手段とを備え、
前記設定手段は、前記受付手段が識別信号を受け付けた場合に、受け付けた識別信号に対応する設定内容に各設定条件を設定するようにしてあることを特徴とする映像処理装置。
【発明の詳細な説明】
【技術分野】
【０００１】
本発明は、それぞれ設定された複数の設定条件に基づいて映像データを記憶媒体に記憶する処理を行なう映像処理装置に関する。
【背景技術】
【０００２】
テレビジョン放送信号を受信するテレビジョン装置、受信したテレビジョン放送信号の映像データを記録媒体に記録し、必要に応じて接続されたテレビジョン装置で再生する記録再生装置等の各種電子機器が普及している。記録再生装置としては、記録媒体に磁気テープを用いるビデオカセットレコーダ（ＶＣＲ）、ＨＤＤ（Hard Disk Drive）に代表される磁気ディスク、ＤＶＤ−ＲＷ（Digital Versatile Disk-ReWritable）及びＤＶＤ−Ｒ（Digital Versatile Disk-Recordable）等の書き込みが可能なＤＶＤに代表される光ディスク等を記録媒体として用いるビデオディスクレコーダ等が実用化されている（例えば、特許文献１参照）。
【０００３】
上述したような各種電気機器は、多機能化が目覚しく、各種装置が備える各種機能における設定条件を利用者が適切に設定することにより、利用者が所望する設定条件にて各種機能を有効に動作させることができる。記録再生装置においては、例えば、受信したテレビ番組を通常モードの画質で録画するか又はファインモードの画質で録画するかを選択することができ、利用者が求める画質での録画が可能となる。このような設定条件は、各設定条件を設定するためにモニタに表示させるメニュー画面を順次切り替えて所望のメニュー画面を表示させ、このメニュー画面の指示に従って設定することができる。
【特許文献１】特開２００４−８０５０７号公報
【発明の開示】
【発明が解決しようとする課題】
【０００４】
しかし、利用者によって設定できる各種の設定条件は、対応する設定画面を自身のモニタ装置又は接続してあるテレビに順次切り替えて表示させ、各設定画面の指示に従った設定処理を適切に行なわなければならず、不慣れなユーザにとっては非常に煩雑なキー操作である。また、複数の利用者で１台の装置を共用する場合、各装置は電源が遮断（オフ）された時点での各種の設定条件しか記憶しておらず、それぞれの利用者が所望する設定条件を必要に応じて逐次設定し直す必要があり、利用者による処理負担を要するという問題がある。
【０００５】
一方、ハードディスクレコーダは、大容量のハードディスク（以下、ＨＤという）に映像データを記録するため、例えば、一週間分のテレビ番組を手軽に記録することができる。従って、利用者は好きなテレビ番組の映像データを一旦ハードディスクに記録しておき、利用者の選択により、気に入ったテレビ番組のみを例えばＤＶＤに記録（転記）して残すことができる。
【０００６】
しかし、ハードディスクレコーダは、記録した映像データを分別（分類）することなく管理するので、記録した映像データが多くなれば、所望の映像データを検索することが困難になる。例えば４人家族で１台のハードディスクレコーダを利用する場合に、誰がどの映像データを記録したのかを判断することが困難になると共に、自身が記録した映像データを他の家族に消去されてしまうおそれがあるという問題が生じる。
【０００７】
また、ハードディスクレコーダは、ハードディスクに記録してある映像データを再生し、この再生処理を途中で中断した場合、中断したシーン番号を記憶しており、再度この映像データの再生処理が実行された場合に、記憶してあるシーン番号からの再生処理を開始することができる。しかし、再生処理を中断された映像データを別の利用者が最初から再生させた場合には、先に視聴していた利用者による中断シーン番号までは記憶していないため、先の利用者が中断したシーンの続きからの再生処理を行なうことができず、利用者は再生処理を中断していた映像データの中断シーンを検索する必要があり、利用者による処理負担を要していた。
【０００８】
本発明は斯かる事情に鑑みてなされたものであり、その目的は、記憶媒体に記憶されている映像データ、及び記憶媒体への記憶が予約された映像データを、複数の識別信号のいずれかに基づいて管理することにより、各映像データを、例えば記憶（記録）日時だけでなく、前記識別信号に基づいて把握することが可能な映像処理装置を提供することにある。
【０００９】
また、本発明の他の目的は、記憶媒体に記憶されている映像データに係る情報、又は受け付けた予約に係る情報を、それぞれ対応する識別信号を示す情報と共に表記するメニュー画像を表示出力することにより、前記識別信号に基づいて、記憶媒体に記憶されている映像データ、及び受け付けた予約に係る情報の検索が容易である映像処理装置を提供することにある。
【００１０】
更に、本発明の他の目的は、複数の識別信号のそれぞれに対応する複数の操作ボタンを備え、複数の利用者にそれぞれ異なる操作ボタンを割り当てておくことにより、記憶媒体に記憶されている映像データ、及び予約された記憶処理のそれぞれが、どの利用者の指示によるものであるかを容易に把握することが可能な映像処理装置を提供することにある。
【００１１】
本発明の他の目的は、複数の設定条件の各設定内容を識別信号に対応して記憶しておき、識別信号を受け付けた場合に、受け付けた識別信号に対応する設定内容に各設定条件を設定することが可能な映像処理装置を提供することにある。
【００１２】
また、本発明の他の目的は、映像データの再生処理を中断した場合に、中断された再生処理に係る中断情報を識別信号に対応させて記憶しておき、識別信号を受け付けた場合に、受け付けた識別信号に対応する中断情報に基づいて、中断された再生処理を再開させることが可能な映像処理装置を提供することにある。
【課題を解決するための手段】
【００１３】
本発明に係る映像処理装置は、映像データを取得する取得手段と、該取得手段が取得した映像データを記憶媒体に記憶する処理を行なう記憶処理手段を備える映像処理装置において、複数の識別信号を各別に受け付ける受付手段と、前記記憶媒体への映像データの記憶の予約を受け付ける予約受付手段と、該予約受付手段が受け付けた予約に係る情報及び前記受付手段が受け付けた識別信号を対応させて記憶する予約記憶手段とを備え、前記取得手段は、前記予約記憶手段に記憶させてある予約に係る情報に基づいて映像データを取得するようにしてあり、前記記憶処理手段は、前記取得手段が取得した映像データに、前記予約に係る情報に対応する識別信号を付加して前記記憶媒体に記憶させるようにしてあることを備えることを特徴とする。
【００１４】
本発明にあっては、複数の識別信号をそれぞれ受け付けており、記憶媒体への映像データの記憶の予約を受け付けた場合に、受け付けた予約に係る情報に、受け付けた識別信号を対応させて記憶しておく。また、記憶してある予約に係る情報に基づいて映像データを取得し、取得した映像データに、前記予約に係る情報に対応して記憶させてある識別信号を付加して記憶媒体に記憶させる。よって、記憶媒体に記憶させてある各映像データを対応する識別信号に基づいて管理することが可能となる。
【００１５】
本発明に係る映像処理装置は、前記記憶媒体に記憶されている映像データに係る情報、及び該映像データに付加された識別信号を示す情報を表記するメニュー画像を作成する作成手段と、該作成手段が作成したメニュー画像を表示出力する手段とを備えることを特徴とする。
【００１６】
本発明にあっては、記憶媒体に記憶されている映像データに係る情報、及び該映像データに付加された識別信号を示す情報を表記するメニュー画像を作成し、作成したメニュー画像を表示出力する。よって、表示されたメニュー画像に基づいて、記憶媒体に記憶されている映像データを識別信号に対応して把握することが可能となる。
【００１７】
本発明に係る映像処理装置は、前記予約記憶手段に記憶させてある予約に係る情報、及び該予約に係る情報に対応する識別信号を示す情報を表記する予約メニュー画像を作成する予約画像作成手段と、該予約画像作成手段が作成した予約メニュー画像を表示出力する手段とを備えることを特徴とする。
【００１８】
本発明にあっては、受け付けた予約に係る情報、及び該予約に係る情報に対応する識別信号を示す情報を表記する予約メニュー画像を作成し、作成した予約メニュー画像を表示出力する。よって、表示された予約メニュー画像に基づいて、記憶媒体への記憶が予約されている映像データを識別信号に対応して把握することが可能となる。
【００１９】
本発明に係る映像処理装置は、前記複数の識別信号のそれぞれに対応する複数の操作ボタンを備え、前記受付手段は、前記操作ボタンのいずれかが操作された場合に、操作された操作ボタンから対応する識別信号を受け付けるようにしてあることを特徴とする。
【００２０】
本発明にあっては、複数の識別信号のそれぞれが割り当てられた複数の操作ボタンを備え、各操作ボタンを操作することによって受け付ける識別信号に基づいて、記憶媒体に記憶されている各映像データ、記憶媒体への映像データの記憶の予約を管理することが可能となる。
【００２１】
本発明に係る映像処理装置は、前記記憶媒体に記憶されている映像データを再生する再生手段と、前記記憶処理手段による記憶処理及び前記再生手段による再生処理に係る複数の設定条件を、前記受付手段が受け付けた識別信号に対応して設定する設定手段と、該設定手段が設定した設定条件の各設定内容を、前記識別信号に対応して記憶する条件記憶手段とを備え、前記設定手段は、前記受付手段が識別信号を受け付けた場合に、受け付けた識別信号に対応する設定内容に各設定条件を設定するようにしてあることを特徴とする。
【００２２】
本発明にあっては、記憶媒体への映像データの記憶処理及び記憶媒体に記憶されている映像データの再生処理に係る複数の設定条件を、外部から受け付けた識別信号に対応して設定し、設定した設定条件の各設定内容を、前記識別信号に対応して記憶しておく。また、識別信号を受け付けた場合に、受け付けた識別信号に対応して記憶させてある設定内容に各設定条件を設定することにより、各利用者が必要に応じて各設定条件を逐次変更することなく、受け付けた識別信号に基づいて各設定条件を一括して設定することが可能となる。
【００２３】
本発明に係る映像処理装置は、前記再生手段による映像データの再生処理を中断した場合に、中断された再生処理に係る中断情報及び前記受付手段が受け付けた識別信号を対応させて記憶する中断情報記憶手段と、前記受付手段が識別信号を受け付けた場合に、受け付けた識別信号に対応する中断情報に基づいて、中断された再生処理を再開させる手段とを備えることを特徴とする。
【００２４】
本発明にあっては、映像データの再生処理を中断した場合に、中断された再生処理に係る中断情報を、受け付けた識別信号に対応させて記憶しておき、識別信号を受け付けた場合に、受け付けた識別信号に対応して記憶されている中断情報に基づいて、中断された再生処理を再開させる。よって、各利用者が中断させた映像データ及び中断させたシーン（場面）を覚えておく必要がない。
【００２５】
本発明に係る映像処理装置は、それぞれ設定された複数の設定条件に基づいて、映像データに係る処理を行なう映像処理装置において、複数の識別信号を各別に受け付ける受付手段と、該受付手段が受け付けた識別信号に対応して前記設定条件を設定する設定手段と、該設定手段が設定した設定条件の各設定内容を、前記識別信号に対応して記憶する条件記憶手段とを備え、前記設定手段は、前記受付手段が識別信号を受け付けた場合に、受け付けた識別信号に対応する設定内容に各設定条件を設定するようにしてあることを特徴とする。
【００２６】
本発明にあっては、複数の識別信号をそれぞれ受け付けており、受け付けた識別信号に対応して複数の設定条件を設定し、設定した設定条件の各設定内容を、前記識別信号に対応させて記憶しておく。また、識別信号を受け付けた場合に、受け付けた識別信号に対応して記憶してある設定内容に各設定条件を設定することにより、各利用者が必要に応じて各設定条件を逐次変更することなく、受け付けた識別信号に基づいて各設定条件を一括して設定することが可能となる。
【発明の効果】
【００２７】
本発明によれば、複数の識別信号をそれぞれ受け付けており、記憶媒体への映像データの記憶の予約を受け付けた場合に、受け付けた予約に係る情報に識別信号を対応させて記憶しておき、記憶してある予約に係る情報に基づいて映像データを取得し、取得した映像データに、前記予約に係る情報に対応して記憶させた識別信号を付加して記憶媒体に記憶させる。よって、記憶媒体に記憶させてある各映像データを、記憶日時及びタイトル等だけでなく、対応する識別信号に基づいて管理することができる。
【００２８】
また、本発明によれば、記憶媒体に記憶されている映像データに係る情報、及び該映像データに付加された識別信号を示す情報を表記するメニュー画像を作成し、作成したメニュー画像を表示出力する。同様に、受け付けた予約に係る情報、及び該予約に係る情報に対応する識別信号を示す情報を表記する予約メニュー画像を作成し、作成した予約メニュー画像を表示出力する。これにより、表示されたメニュー画像に基づいて、記憶媒体に記憶されている映像データを識別信号に対応して把握することができ、また、表示された予約メニュー画像に基づいて、記憶媒体への記憶が予約されている映像データを識別信号に対応して把握することができる。従って、識別信号に基づいて、記憶媒体に記憶されている映像データ、及び受け付けた予約に係る情報の検索が容易となる。
【００２９】
更に、本発明によれば、複数の識別信号のそれぞれが割り当てられた複数の操作ボタンを備え、各操作ボタンを操作することによって受け付ける識別信号に基づいて、記憶媒体に記憶させてある各映像データ、記憶媒体への映像データの記憶の予約を管理することができる。よって、複数の利用者にそれぞれ異なる操作ボタンを割り当てておくことにより、記憶媒体に記憶されている映像データ、及び予約された記憶処理のそれぞれが、どの利用者の指示によるものであるかを容易に把握することができるため、自身が行なった記憶処理における映像データ及び予約記憶処理を他人に消去されることを防止することができる。
【００３０】
本発明によれば、記憶媒体への映像データの記憶処理及び記憶媒体に記憶されている映像データの再生処理に係る複数の設定条件を、外部から受け付けた識別信号に対応して設定した場合に、設定した設定条件の各設定内容を、前記識別信号に対応して記憶しておき、識別信号を受け付けた場合に、受け付けた識別信号に対応して記憶させてある設定内容に各設定条件を設定する。これにより、各利用者が必要に応じて各設定条件を逐次変更することなく、例えば自身に割り当てられた操作ボタンを操作することによって、各設定条件を一括して所望の設定内容に設定することができる。
【００３１】
また、本発明によれば、映像データの再生処理を中断した場合に、中断された再生処理に係る中断情報を、受け付けた識別信号に対応させて記憶しておき、識別信号を受け付けた場合に、受け付けた識別信号に対応して記憶されている中断情報に基づいて、中断された再生処理を再開させる。よって、各利用者が中断させた映像データ及び中断させたシーン（場面）を覚えておく必要がなく、中断させた映像データ及び中断させたシーンを検索する必要もないため、利用者の負担を軽減することができる。
【００３２】
本発明によれば、複数の識別信号をそれぞれ受け付けており、受け付けた識別信号に対応して複数の設定条件を設定し、設定した設定条件の各設定内容を、前記識別信号に対応させて記憶しておき、識別信号を受け付けた場合に、受け付けた識別信号に対応して記憶してある設定内容に各設定条件を設定する。これにより、各利用者が必要に応じて各設定条件を逐次変更することなく、受け付けた識別信号に基づいて各設定条件を一括して設定することができる。
【発明を実施するための最良の形態】
【００３３】
以下に、本発明をその実施形態を示す図面に基づいて詳述する。図１は本発明に係る映像処理装置としてのハードディスクレコーダ（以下、ＨＤレコーダという）の構成例を示すブロック図である。図１において映像信号・映像データの流れを破線で示す。
【００３４】
本実施形態のＨＤレコーダ１０は、自身の遠隔操作が可能なリモートコントロール入力装置（以下、リモコン装置という）３０と赤外線を利用したＩｒＤＡ（Infrared Data Association）規格に従う無線通信が可能に構成されている。なお、ＨＤレコーダ１０とリモコン装置３０とを、赤外線を利用した無線通信だけでなく、例えば、ＩＥＥＥ８０２．１１ｂ規格に準拠した無線ＬＡＮ、及びBluetooth規格に従う無線通信等の無線通信が可能に接続してもよい。
【００３５】
リモコン装置３０は、ＨＤレコーダ１０を利用者が遠隔操作するために必要な各種のファンクションキーを備えており、利用者が各キーを操作した場合、操作されたキーに対応した光量の赤外線をＨＤレコーダ１０へ発光する。リモコン装置３０のファンクションキーには、例えば４人の利用者にそれぞれ割り当てられる青ボタン３１、赤ボタン３２、緑ボタン３３、黄ボタン３４などのカラーキー（操作ボタン）がある。
【００３６】
また、リモコン装置３０には、ＨＤレコーダ１０による映像データの記録（記憶）を開始する録画ボタン、ＨＤレコーダ１０に記録してある映像データの再生を開始する再生ボタン、ＨＤレコーダ１０による記録処理・再生処理を終了する終了ボタン、ＨＤレコーダ１０による映像データの記録予約の際に放送チャネル、開始日時及び終了日時の入力を受け付けるためのテンキー、十字キー、決定キー及びクリアキーなども設けられている。
【００３７】
ＨＤレコーダ１０は、ＣＰＵで構成された制御部１１を備えている。制御部１１はシステムバス１２を介して、チューナ部１３，選択部１４，操作部１５，表示部１６，日時管理部１７，設定管理部１８，予約管理部１９，記録処理部２０，再生処理部２１，リモコンコード解析部２２，ＨＤＤ２３，出力部２５などと接続され、これら各部を制御して、内蔵するＲＯＭに格納された制御プログラムに従って種々の機能を実行する。例えば、ＨＤレコーダ１０は、外部から入力した映像信号を所定形式（例えばＭＰＥＧ形式）の映像データにエンコードする機能、エンコードした映像データを記憶する機能、記憶している映像データを映像信号にデコードする機能などを有している。
【００３８】
チューナ部（取得手段）１３は、例えば放送中継基地８０の方向に向けて配置されたアンテナ５０に接続されており、放送中継基地８０から送信された映像信号のうちの特定周波数帯域の映像信号を選択して復調する機能を有する。現在、広く利用されている地上波の周波数帯域は、ＶＨＦ帯の低域（９０Ｍ〜１０８ＭＨｚ）、ＶＨＦ帯の高域（１７０Ｍ〜２２２ＭＨｚ）、ＵＨＦ帯（４７０Ｍ〜７７０ＭＨｚ）であり、この周波数帯域から、利用者によって指定された１チャネルの映像信号を選択して選択部１４へ入力する。もちろん、衛星放送、ケーブルテレビ放送などに対応したチューナであってもよい。
【００３９】
選択部１４は、上述したチューナ部１３及び外部入力部２４に接続されている。外部入力部（取得手段）２４には、例えばビデオ、ＤＶＤなどの再生機器又は外部チューナ（以下、代表して外部チューナ６０という）が接続され、外部チューナ６０が出力した映像信号を選択部１４へ入力する。選択部１４は、チューナ部１３又は外部入力部２４から入力された映像信号のうちの一方を選択する機能を有し、選択した映像信号を記録処理部２０又は出力部２５へ入力する。
【００４０】
操作部１５は、ＨＤレコーダ１０を利用者が操作するために必要な各種のファンクションキーを備えており、ユーザにより各キーが操作された場合、操作されたキーに対応した制御信号を制御部１１へ送出し、制御部１１は取得した制御信号に対応した処理を実行する。表示部１６は、液晶モニタ又はＬＥＤモニタなどの表示デバイスで構成されており、ＨＤレコーダ１０の動作状態の表示、利用者へ操作入力を促す画面の表示などを行う。なお、オン・スクリーン・ディスプレイ（ＯＳＤ）に係るメニュー画像を表示機器７０に表示してＨＤレコーダ１０を操作するようにしてもよいし、表示部１６をタッチパネル方式とすることにより、操作部１５の各種のファンクションキーのうちの一部又は全部を代用することも可能である。
【００４１】
日時管理部１７は、具体的にはタイマーであり、要求に応じて現在日時を制御部１１又は記録処理部２０などへ通知する機能を有し、主としてタイマー予約（以下、予約という）による映像データの記録に利用される。
【００４２】
リモコンコード解析部２２は、リモコン装置３０からの赤外線を受光して所定の電気信号に変換し、得られた電気信号を解析してリモコン装置３０から入力されたコード信号（識別信号）を受け付ける受付手段として動作し、取得したコード信号を制御部１１へ送出する。制御部１１は、リモコン装置３０から送信されてリモコンコード解析部２２によって解析されたコード信号を取得し、取得したコード信号に対応して実行すべき処理命令を実行する。
【００４３】
設定管理部（条件記憶手段）１８は、図２に示す設定管理データベース１８ａを有しており、設定管理データベース１８ａには、リモコン装置３０のカラーキー（青ボタン３１，赤ボタン３２，緑ボタン３３，黄ボタン３４）のそれぞれが操作された場合にリモコンコード解析部２２が取得するコード信号（識別信号）、ＨＤレコーダ１０が実行可能な機能、各機能における機能設定、各機能設定における設定条件が互いに関連付けられて登録されている。この設定管理データベース１８ａは、利用者による操作部１５の操作またはリモコン装置３０の操作により各設定条件が変更された場合に、制御部１１によって更新される。
【００４４】
なお、各利用者が自身に割り当てられたカラーキーのいずれかを操作（押下）した場合、制御部１１は、リモコンコード解析部２２から取得するコード信号に対応して設定管理データベース１８ａに登録されている設定内容に各設定条件を設定する設定手段として動作する。従って、複数の利用者で１台のＨＤレコーダ１０を共用している場合であっても、各利用者が自身のカラーキーを操作することで所望の設定条件に変更することができるため、各設定条件を逐次変更する手間が削減される。また、制御部１１は、リモコンコード解析部２２から適宜取得するコード信号を自身のメモリ（図示せず）に記憶しておくことにより、現在どの利用者によって操作されているかを、青ボタン３１、赤ボタン３２、緑ボタン３３または黄ボタン３４で把握することができる。
【００４５】
本実施形態では、設定管理部（中断情報記憶手段）１８は、後述する再生処理部２１による映像データの再生処理が途中で中断された場合に、中断された再生処理に係る中断情報、具体的には、中断された映像データ及び中断されたシーン（場面）番号を、この映像データを再生させていた利用者に対応するコード信号と共に記憶しておく。そして、リモコンコード解析部２２が各コード信号を取得した場合に、制御部１１は、取得したコード信号に対応して設定管理部１８に記憶してある中断情報に基づいて、中断されていた映像データの続きから再生処理を開始する。
【００４６】
これにより、青ボタン３１を割り当てられた利用者が、ＨＤＤ２３に記録してある第１映像データを再生し、その途中の第１シーンで再生処理を終了した状態で赤ボタン３２が操作された場合、制御部１１は、青ボタン３１に対応させて第１映像データの第１シーンで再生処理が中断された旨を示す中断情報を設定管理部１８に記憶させる。そして、次に青ボタン３１が操作された場合に、第１映像データの第１シーンからの再生処理を開始させる。従って、青ボタン３１を割り当てられた利用者が第１映像データの第１シーンまで視聴した後に赤ボタン３２を割り当てられた利用者が同じ第１映像データの再生処理を行なった場合であっても、次に青ボタン３１が操作された場合に、第１映像データの第１シーンからの再生処理を開始させることができるため、各利用者は、自身が前回行なっていた各処理を思い出す必要がなく、また、前回途中まで見ていた映像データを再度検索する必要がないため、利用者による処理負担を軽減することができる。
【００４７】
予約管理部（予約記憶手段）１９は、図３（ａ）に示す予約管理データベース１９ａを有しており、予約管理データベース１９ａには、予約された記録処理毎に、予約を識別するための予約番号、記録が予約された映像データを放送するチャネル、映像データの記録開始の日時を示す開始日時、映像データの記録終了の日時を示す終了日時、及び予約を指示した利用者に割り当てられたカラーキーに対応したコード信号等を含む予約情報が登録されている。なお、予約管理データベース２９ａ中のコード信号は、各予約が行なわれた時点で制御部１１が記憶しているコード信号である。従って、各利用者は、ＨＤレコーダ１０による映像データの記録を予約する前に自身に割り当てられたカラーキーを操作しておくことによって、自身が予約した映像データを確実に把握することができる。
【００４８】
この予約管理データベース１９ａは、利用者による操作部１５の操作またはリモコン装置３０の操作によって、制御部（予約受付手段）１１が映像データの記録の予約を受け付ける都度、制御部１１によって更新される。なお、予約する映像データとしては、チューナ部１３が出力する映像信号に係る映像データのみならず、外部入力部２４から入力される外部チューナ６０が出力した映像信号に係る映像データであってもよく、その場合には、予約管理データベース１９ａの”チャネル”欄に、例えば”外部入力”として登録すればよい。
【００４９】
記録処理部（記憶処理手段）２０は、ＡＤＣ（アナログ・デジタル・コンバータ）及びエンコーダなどを有しており、選択部１４から入力された映像信号をＡＤＣによりサンプリング周波数１３．５ＭＨｚ、所定の量子化ビット数（例えば８ビット）でデジタル化する。また、記録処理部２０は、デジタル化された映像信号をエンコーダにより所定形式の映像データに符号化圧縮してＨＤＤ２３へ出力する。エンコード形式としては、例えばＭＰＥＧ形式、ＤＶ圧縮形式、モーションＪＰＥＧ形式などであり、その映像圧縮規格については限定されるものではないが、以下、現在広く利用されているＭＰＥＧ形式であるとして説明する。もちろん、チューナ部１３にて復調された映像信号、外部入力部２４に入力された映像信号がＭＰＥＧ形式である場合には、ＡＤＣ及びエンコーダをスルーさせることは言うまでもない。
【００５０】
ＨＤＤ（記憶媒体）２３は、記録処理部２０により符号化圧縮された映像データをそれぞれファイル単位で記録するＨＤ（図示せず）を内蔵しており、記録処理部２０及び再生処理部２１に接続されている。また、ＨＤＤ２３は、図３（ｂ）に示す記録管理データベース２３ａを記憶しており、記録管理データベース２３ａには、記録された映像データ毎に、映像データの記録を指示した利用者に割り当てられたカラーキーに対応したコード信号、記録した映像データを放送したチャネル、映像データの記録開始の日時を示す開始日時、映像データの記録終了の日時を示す終了日時、及び映像データを記録したＨＤにおける記録領域等を含む記録情報が登録されている。なお、記録管理データベース２３ａ中のコード信号は、予約管理データベース１９ａ中のコード信号であり、予約が行われた時点で制御部１１が記憶しているコード信号である。従って、各利用者は、自身による予約によって記録された映像データを確実に把握することができる。
【００５１】
この記録管理データベース２３ａは、予約管理部１９が管理する予約情報に基づいてチューナ部１３又は外部入力部２４が取得し、制御部１１の制御に従って記録処理部２０から入力される映像データがＨＤＤ２３に記録される都度、制御部１１によって更新される。なお、記録する映像データとしては、チューナ部１３が出力する映像信号に係る映像データのみならず、外部入力部２４から入力される外部チューナ６０が出力した映像信号に係る映像データであってもよく、その場合には、予約管理データベース１９ａと同様に、記録管理データベース２３ａの”チャネル”欄に、例えば”外部入力”として登録すればよい。
【００５２】
再生処理部（再生手段）２１は、デコーダ及びＤＡＣ（デジタル・アナログ・コンバータ）などを有しており、ＨＤＤ２３に記録されているＭＰＥＧ形式の映像データを読出してデコーダにより映像信号に復号化伸張する。また、再生処理部２１は、伸張されたデジタルの映像信号をＤＡＣによりアナログ化して出力部２５へ出力する。なお、ＨＤＤ２３は、ランダムアクセスが可能であるため、記録処理部２０と再生処理部２１とは、それぞれ独立してＨＤＤ２３にアクセスし、映像データの記録処理と再生処理とを行うことができる。
【００５３】
出力部２５は、映像ケーブル及び音声ケーブルを介して、液晶ディスプレイ又はＣＲＴディスプレイなどの表示機器７０に接続されており、選択部１４又は再生処理部２１から入力された映像信号を表示機器７０へ出力し、映像信号に係る映像を表示機器７０に表示させる。また、出力部２５は、制御部１１からの指示に従ってＯＳＤに係るメニュー画像を表示機器７０へ出力し、各種メニュー画像を表示機器６０に表示させる。
【００５４】
ここで、ＯＳＤ機能を利用した場合のメニュー画像の表示について説明する。ＨＤＤ２３に記録してある映像データを再生する場合または確認する場合、利用者は、操作部１５の所定の操作ボタン又はリモコン装置３０の所定の操作ボタンを操作し、図４（ａ）及び（ｂ）に示すような録画リストを表示機器７０に表示させる。操作部１５の所定の操作ボタン又はリモコン装置３０の所定の操作ボタンを操作された場合、制御部（作成手段）１１が、記録管理データベース２３ａの登録内容に基づいて、ＨＤＤ２３に記録してある各映像データの記録情報と、各映像データの録画を指示した利用者を示すカラーキーとを表示したメニュー画像を作成することにより、図４（ａ）及び（ｂ）に示す録画リストを表示させることができる。
【００５５】
図４（ａ）に示す録画リストは、ＨＤＤ２３に記録してある各映像データについて、映像データの録画を指示した利用者に割り当てられたカラーキー（リモコン装置３０の青ボタン３１、赤ボタン３２，緑ボタン３３，黄ボタン３４）のいずれか、映像データの放送チャネル、映像データの記録開始日時、映像データの記録終了日時、及び映像データを記録する際の録画モードを表示する。
【００５６】
利用者は、リモコン装置３０の十字キーを操作することにより、録画リスト中の所望の映像データを選択することができ、再生ボタンを操作することにより、選択された映像データを再生させることができる。なお、図４（ａ）に示す録画リストにおいて、十字キーの上ボタンを操作することにより「ボタン  チャネル  開始日時  終了日時  録画モード」を表記した項目欄を選択した状態で、十字キーの左ボタンを操作した場合、図４（ａ）に示すように、項目欄中の「ボタン」を選択することができ、更に「ボタン」が選択された状態で利用者が決定キーを操作した場合、図４（ｂ）に示すように、各ボタン毎に映像データの記録情報を並び替えた録画リストを表示機器７０に表示させることができる。これにより、各利用者は、自身が予約することにより記録された映像データの記録情報の一覧を確認することができ、所望する映像データを容易に検索することができる。
【００５７】
利用者は、ＨＤＤ２３に記録させた映像データを消去したい場合、図４（ａ）又は（ｂ）に示す録画リストにおいて、消去したい映像データを十字キーを用いて選択し、クリアキーを操作する。これによりＨＤレコーダ１０の制御部１１は、指定された映像データをＨＤＤ２３から消去すると共に、ＨＤＤ２３の記録管理データベース２３ａの対応するデータを消去する。
【００５８】
ここで、利用者が、自身が予約した映像データでない映像データの消去を指示した場合、例えば、現在ＨＤレコーダ１０を操作している利用者が「青ボタン」を割り当てられた利用者であり、図４（ｂ）に示す録画リストおいて、「黄  ６  2004/5/2/13:00  2004/5/2/14:00  ファイン」で示す記録情報の映像データのＨＤＤ２３からの消去を指示した場合、制御部１１は、図５に示すように、「黄さんが録画したものです。青さんは消去できません」を上書きさせた録画リストを表示機器７０に表示させて、指示された映像データを消去できない旨を通知する。これにより、各利用者が予約することにより記録された映像データを他の利用者によって消去されるおそれがない。
【００５９】
また、利用者は、自身が予約した映像データの予約情報を確認したい場合、図４（ａ）及び（ｂ）に示す録画リストと同様の構成の予約リストを表示機器７０に表示させることができる。具体的には、利用者によって所定の操作ボタンが操作された場合、制御部（予約画像作成手段）１１は、予約管理データベース１９ａの登録内容に基づいて、登録されている予約情報と、各予約情報を予約した利用者を示すカラーキーとを表記した予約メニュー画像を作成し、表示機器７０に表示させる。なお、予約リストにおいて予約を取り消す場合でも、予約を指示した利用者以外の利用者による取り消しを禁止することにより、各利用者が予約した記録処理を他の利用者によって取り消されるおそれがない。
【００６０】
一方、図４及び図５に示す録画リストは、全ての利用者の指示によってＨＤＤ２３に記録された映像データの記録情報を一覧表示しているが、図６（ａ）に示すように、現在操作している利用者、具体的には制御部１１に記憶してあるコード信号のカラーキーを割り当てられた利用者の指示による映像データの記録情報のみを一覧表示させることもできる。同様に、予約管理データベース１９ａに基づく予約リストについても、図６（ｂ）に示すように、現在操作している利用者の指示によって予約された記録処理の予約情報のみを一覧表示させてもよい。このように、各利用者の指示によって予約された映像データの予約情報、及び記録された映像データの記録情報のみを表記するリストを表示した場合には、他の利用者の指示による予約の取消、及び他の利用者の指示により記録した映像データの消去を確実に防止することができる。
【００６１】
以下に、上述した構成のＨＤレコーダ１０が行なう動作をフローチャートを用いて説明する。図７は本発明に係るＨＤレコーダ１０が行なう処理の手順を示すフローチャートである。なお、処理手順は一例でありこれに限るものではない。また、以下の処理は、制御部１１に内蔵されたＲＯＭに予め格納してある制御プログラムに従って制御部１１が実行する。
【００６２】
ＨＤレコーダ１０において、制御部１１は、リモコンコード解析部２２から入力されるコード信号に基づいて、リモコン装置３０のカラーキーのいずれかが操作されたか否かを判断しており（Ｓ１）、カラーキーが操作されていないと判断した場合（Ｓ１：ＮＯ）、ステップＳ６へ処理を移行する。制御部１１は、カラーキーが操作されたと判断した場合（Ｓ１：ＹＥＳ）、リモコンコード解析部２２から取得したコード信号に対応して設定管理部１８の設定管理データベース１８ａに登録されている設定条件となるように各設定条件を変更し（Ｓ２）、取得したコード信号を自身のメモリに記憶させる（Ｓ３）。
【００６３】
次に、制御部１１は、利用者による操作部１５またはリモコン装置３０の操作により、ＨＤＤ２３への映像データの記録の予約情報を受け付けたか否かを判断しており（Ｓ４）、予約情報を受け付けていないと判断した場合（Ｓ４：ＮＯ）、ステップＳ６へ処理を移行する。制御部１１は、予約情報を受け付けたと判断した場合（Ｓ４：ＹＥＳ）、即ち、予約された記録処理の映像データの放送チャネル、記録開始日時及び記録終了日時の入力を受け付けた場合、受け付けた予約情報を予約管理部１９の予約管理データベース１９ａに登録する（Ｓ５）。なお、予約管理データベース１９ａには、受け付けた予約情報と共に、予約情報を受け付けた時点で制御部１１が記憶しているコード信号も登録される。
【００６４】
一方、制御部１１は、記録処理部２０により所定周期毎に予約管理部１９にアクセスし、予約管理データベース１９ａに登録されている各予約情報の開始日時及び終了日時を抽出する（Ｓ６）。また、制御部１１は、記録処理部２０により日時管理部１７に現在日時の要求を行って現在日時を取得しており（Ｓ７）、現在日時がステップＳ６で抽出した開始日時に至ったか否かを判断し（Ｓ８）、現在日時が開始日時に至らないと判断した場合（Ｓ８：ＮＯ）、ステップＳ１へ処理を移行し、上述した処理を繰り返す。
【００６５】
制御部１１は、現在日時が開始日時に至ったと判断した場合（Ｓ８：ＹＥＳ）、開始する記録処理の予約情報に対応するチャネルの映像信号を選択するようチューナ部１３に指示するとともに、選択部１４に対してチューナ部１３から入力された映像信号を選択するよう指示し、入力された映像信号を映像データに符号化処理してＨＤＤ２３により映像データを順次記録する（Ｓ９）。
【００６６】
また、制御部１１は、記録処理部２０により日時管理部１７から現在日時を取得し、取得した現在日時が、ステップＳ６で抽出した終了日時に至ったか否かを判断し（Ｓ１０）、現在日時が終了日時に至っていないと判断した場合（Ｓ１０：ＮＯ）、処理をステップＳ９に戻して映像データの記録を続行する。制御部１１は、現在日時が終了日時に至ったと判断した場合（Ｓ１０：ＹＥＳ）、記録処理部２０により映像データの記録を終了し（Ｓ１１）、終了させた記録処理についての記録情報を記録管理データベース２３ａに登録する（Ｓ１２）。なお、記録管理データベース２３ａには、予約管理データベース１９ａに登録されていた予約情報に基づく記録情報が登録される。
【００６７】
これにより、予約管理データベース１９ａに蓄積される予約情報、及び記録管理データベース２３ａに蓄積される記録情報に、リモコン装置３０のカラーキーを対応して記憶させることができ、これにより、予約された記録処理及び記録された映像データが、どの利用者の指示によるものであるかを容易に把握することができる。従って、各利用者は、他の利用者の指示により予約された記録処理を誤って取り消すことがなく、また、他の利用者の指示により記録された映像データを誤って消去することがない。更に、リモコン装置３０のカラーキーを操作することにより、ＨＤレコーダ１０における各種の設定条件を変更することができるため、複数の利用者で１台のＨＤレコーダ１０を共用している場合であっても、各設定条件を逐次変更する手間が削減される。
【００６８】
上述した実施形態では、図４乃至図６で示すような各種メニュー画像をＨＤレコーダ１０に接続された表示機器７０で表示させる構成について説明したが、ＨＤレコーダ１０が十分な表示領域を有する表示部１６を備える場合には自身の表示部１６に表示させる構成であってもよい。また、ＨＤレコーダ１０は、設定管理データベース１８ａ及び予約管理データベース１９ａをそれぞれ記憶する設定管理部１８及び予約管理部１９を備えているが、設定管理データベース１８ａ及び予約管理データベース１９ａを共にＨＤＤ２３に蓄積する構成とすることもできる。
【００６９】
また、上述した実施形態では、ＨＤレコーダ１０を遠隔操作するためのリモコン装置３０に、それぞれの利用者に割り当てるファンクションキー（カラーキー）を設けた構成について説明したが、ＨＤレコーダ１０本体にこのようなファンクションキーを設ける構成であってもよく、リモコン装置を備えない装置においても適用が可能である。また、ファンクションキーとして青ボタン３１、赤ボタン３２、緑ボタン３３及び黄ボタン３４のカラーキーをリモコン装置３０に設け、それぞれを「青」、「赤」、「緑」及び「黄」により管理する構成を例としたが、例えば、”Ａさん”，”Ｂさん”，”Ｃさん”，”Ｄさん”のような利用者名、”春”，”夏”，”秋”，”冬”のような季節名、”映画”，”ニュース”，”アニメ”，”スポーツ”のようなジャンル名に変更可能な構成としてもよい。これにより、図４で示す録画リストにおいて、それぞれの映像データの記録を指示した利用者を容易に識別することができる。
【００７０】
また、リモコン装置３０に設ける操作ボタン（カラーキー）の数は、本実施形態で説明した４つに限定されるものではないが、リモコン装置３０に予め設けられるハード構成であるため、製造時において固定される。更に、上述した実施形態では、記録媒体としてＨＤＤを内蔵したＨＤレコーダ１０を例として説明したが、ＶＣＲ、ＤＶＤレコーダ等を備える構成でもよく、例えばＤＶＤマルチドライブなどの記録装置を、ＨＤレコーダ１０に内蔵したり、ＨＤレコーダ１０に接続したりしてもよい。このようにすれば、ＨＤＤ２３に記録したＭＰＥＧ形式の映像データを読出し、光ディスクに記録することができるため、ＨＤＤ２３の記憶容量が少なくなった場合に有用である。
【図面の簡単な説明】
【００７１】
【図１】本発明のハードディスクレコーダの構成例を示すブロック図である。
【図２】設定管理データベースの登録内容の例を示す模式図である。
【図３】（ａ）は予約管理データベースの登録内容の例を示す模式図、（ｂ）は記録管理データベースの登録内容の例を示す模式図である。
【図４】録画リストの構成例を示す模式図である。
【図５】録画リストの構成例を示す模式図である。
【図６】（ａ）は録画リストの構成例を示す模式図、（ｂ）は予約リストの構成例を示す模式図である。
【図７】本発明のハードディスクレコーダが行なう処理の手順を示すフローチャートである。
【符号の説明】
【００７２】
１０  ＨＤレコーダ（映像処理装置）
１１  制御部（設定手段、予約受付手段、作成手段、予約画像作成手段）
１３  チューナ部（取得手段）
１８  設定管理部（条件記憶手段、中断情報記憶手段）
１９  予約管理部（予約記憶手段）
２０  記録処理部（記憶処理手段）
２２  リモコンコード解析部（受付手段）
２１  再生処理部（再生手段）
２３  ＨＤＤ（記憶媒体）
２４  外部入力部（取得手段）
３０  リモコン装置
３１，３２，３３，３４  カラーキー（操作ボタン）
【図１】
2006025245.tif 000003
【図２】
2006025245.tif 000004
【図３】
2006025245.tif 000005
【図４】
2006025245.tif 000006
【図５】
2006025245.tif 000007
【図６】
2006025245.tif 000008
【図７】
2006025245.tif 000009